(57)【特許請求の範囲】
【請求項１】
基枠に開閉可能に支持された開閉搭載枠の施錠金具が前記基枠の施錠受け金具に係止することにより、前記開閉搭載枠が前記基枠に閉鎖状態に保持されるように構成された遊技機において、前記基枠に閉鎖状態に保持された前記開閉搭載枠の揺動を防止するための揺動防止機構であって、
前記施錠金具には上下方向に傾動可能なフック部材が設けられており、該フック部材と、該フック部材が係合可能な前記施錠受け金具のうちのいずれか一方の部材には、側方当接部が他方側に向かって突設され、いずれか他方の部材には該側方当接部が当接可能な被側方当接部が前記側方当接部側に向かって突設されており、前記フック部材が前記施錠受け金具に係合する時に前記側方当接部が前記被側方当接部に当接することにより前記基枠に対する前記開閉搭載枠の左右方向の揺動を抑止可能なように構成された左右揺動抑止機構を備えていることを特徴とする遊技機の揺動防止機構。
【発明の詳細な説明】
【技術分野】
【０００１】
本発明は、基枠に開閉可能に支持された開閉搭載枠の施錠金具が前記基枠の施錠受け金具に係止することにより、開閉搭載枠が基枠に閉鎖状態に保持されるように構成された遊技機において、基枠に閉鎖状態に保持された開閉搭載枠の揺動を防止するための揺動防止機構に関する。
【背景技術】
【０００２】
従来、パチンコ遊技機やスロットマシン等の遊技機には、遊技島に設置するための設置枠台としての基枠（通常、パチンコ遊技機では「外枠」、スロットマシンでは「キャビネット」と称する。）と、この基枠の正面左側上下に設けられたヒンジ機構を介して基枠に対して横方向に開閉可能に支持された開閉搭載枠（通常、パチンコ遊技機では「前枠」、スロットマシンでは「フロントマスク」と称する。）とが設けられている。
【０００３】
そして、遊技機の正面右側には、上下２箇所に、図２３又は図２４に示すように、開閉搭載枠側の施錠金具１と基枠側の施錠受け金具２とから成る施錠装置３が設けられており、その施錠受け金具２の施錠受け部４に施錠金具１のフック部材５が係合することにより、前記開閉搭載枠が基枠に対して閉鎖状態に保持され、遊技機が遊技に供されるようになっている。（例えば、特許文献１参照）。
【０００４】
【特許文献１】特開２００２−１５９７１１号公報
【発明の開示】
【発明が解決しようとする課題】
【０００５】
しかしながら、上記した従来の遊技機では、基枠に対して開閉搭載枠を開閉可能に設けるために、図２３（ｂ）又は図２４（ｂ）に示すように、施錠装置３の施錠金具１と施錠受け金具２との係合部分やヒンジ機構に、逃げ寸法としてある程度の間隙（例えば、図２３（ｂ）中の寸法ｔ１又は図２４（ｂ）中の寸法ｔ２）を設けざるを得なかった。そのため、開閉搭載枠が閉鎖状態に保持され、遊技に供された状態において、開閉搭載枠が基体に対して前後左右方向に僅かに揺動するのを防止することができなかった。
【０００６】
したがって、例えば、スロットマシンの場合には、遊技中、フロントマスクに設けられたスタートレバーやストップスイッチ等の操作具を操作する際にフロントマスクが揺動し、遊技者に不快感を与えるおそれがあった。また、パチンコ遊技機の場合には、上記したスロットマシンの場合と同様の問題に加えて、前枠に搭載された遊技盤が揺動すると、遊技領域における遊技球の転動方向が変化するため、このことを悪用して、前枠を故意に揺動させて遊技球の転動方向を変化させる不正行為を行う遊技者が出現するといった問題があった。この問題は、クルーンと呼ばれる役物を採用している遊技機においては、遊技球の転動方向の変化により、特別遊技に移行する条件となる入賞口への入賞率が変化し、遊技球の出球率が大きく変わるため、特に、深刻であった。
【０００７】
本発明は、上記した課題を解決すべくなされたものであり、遊技中の遊技者に不快感を与えることがなく、悪意の遊技者の不正行為を防止することが可能な遊技機の揺動防止機構を提供しようとするものである。
【課題を解決するための手段】
【０００８】
本発明は、基枠１２に開閉可能に支持された開閉搭載枠１３の施錠金具３５が基枠１２の施錠受け金具３７に係止することにより、開閉搭載枠１３が基枠１２に閉鎖状態に保持されるように構成された遊技機１１において、基枠１２に閉鎖状態に保持された開閉搭載枠１３の揺動を防止するための揺動防止機構であって、施錠金具３５には上下方向に傾動可能なフック部材４４が設けられており、フック部材４４と、フック部材４４が係合可能な施錠受け金具３７のいずれか一方に側方当接部７４が設けられていると共に、いずれか他方に側方当接部７４が当接可能な被側方当接部９０が設けられており、フック部材４４が錠受け金具３７に係合する時に側方当接部７４が被側方当接部９０に当接することにより基枠１２に対する開閉搭載枠１３の左右方向の揺動を抑止可能なように構成された左右揺動抑止機構７４，９０を備えていることを特徴とする。
【発明の効果】
【０００９】
本発明によれば、基枠に対する開閉搭載枠の揺動を防止することができるので、遊技中の遊技者に不快感を与えることがなく、また、悪意の遊技者の不正行為を防止することができる。
【発明を実施するための最良の形態】
【００１０】
以下、図面を参照しつつ、本発明の実施の形態について説明する。なお、以下の説明では、本発明をパチンコ遊技機に使用した場合を例示して説明する。
【００１１】
先ず、図１〜図３を参照しつつ、パチンコ遊技機の概略構成について説明する。ここで、図１は本発明の実施の形態におけるパチンコ遊技機を示す正面図及びその施錠装置を拡大して示す正面図、図２はそのパチンコ遊技機を開放した状態を示す背面図及びその施錠装置を拡大して示す背面図、図３はそのパチンコ遊技機を示す側面図及びその施錠装置を拡大して示す側面図である。
【００１２】
このパチンコ遊技機１１は、基枠として方形枠状に形成された外枠１２と、この外枠１２の開口面域に整合するように方形状に形成された開閉搭載枠としての前枠１３とを備えており、前枠１３は、外枠１２に対して、外枠１２の正面左側上下に設けられたヒンジ金具１４ａ，１４ｂにより開閉可能に取り付けられていると共に、正面右側に設けられた施錠装置１５により閉鎖状態に保持されるようになっている。
【００１３】
前枠１３には、遊技盤１６が収容されており、遊技盤１６の前面側には、図柄表示装置１７、中央飾り１８、始動入賞口１９、大入賞口２０等の各種遊技部品がそれぞれ配設され、遊技領域２１が形成されている。そして、前枠１３の正面側には、ガラス扉２２が開閉可能且つ着脱可能に取り付けられ、ガラス扉２２は施錠装置１５により前枠１３に閉鎖状態に保持されるようになっている。また、前枠１３のガラス扉２２の下方には上球皿２３が設けられ、その上球皿２３の下方には下球皿２４が設けられ、さらに、下球皿２４の正面右側には発射ハンドル２５が前方に突出して設けられている。
【００１４】
一方、前枠１３の背面側には裏セット盤２６が設けられている。その裏セット盤２６は、背面側から見て右側の上下に設置されたヒンジ２７ａ，２７ｂにより開閉可能に設けられ、さらに、閉鎖レバー２８ａ，２８ｂ，２８ｃにより遊技盤１６の裏面を覆うように閉鎖状態に保持されるようになっている。そして、裏セット盤２６には、予備賞球を貯留する球貯留タンク２９、遊技球を整列状態で待機させる待機通路３０、遊技盤１６での入賞状態等に基づき賞球を払い出す球払出装置３１、球払出装置３１から払い出された賞球を上球皿２３又は下球皿２４に排出するための球払出通路３２等の賞球装置が装備されていると共に、電源基板３３や遊技制御基板３４等の各種回路基板及び電子部品等が取付けられている。
【００１５】
次に、図１〜図３を参照しつつ、このパチンコ遊技機１における施錠装置１５の概略構成について説明する。
【００１６】
施錠装置１５は、前枠１３の右側部背面側に設けられた施錠金具３５と、外枠１２の右側枠杆３６の内面側において上下２箇所に設けられた施錠受け金具３７とから構成されている。
【００１７】
施錠金具３５は、略Ｌ字状に折曲成形されたベース板３８を基体として構成されており、ベース板３８には、前枠１３の右側部背面に沿って複数のネジにより固定される固定片４０と、固定片４０の左側部から後方に折曲された立設片４１とが形成されている。そして、立設片４１の上下端部には、それぞれ、内側方に延出する支持片部４２が形成されており、各支持片部４２にはリベット状の傾動支点４３を介して上下のフック部材４４が傾動可能に枢設されている。
【００１８】
この上下のフック部材４４の各基端部には、リベット状の連結支点４５を介してぞれぞれ第１昇降杆４６の上下端部が枢設されており、第１昇降杆４６は、固定片４０に突設された複数のガイド突部４７と立設片４１とにより左右方向への変位が規制されるようになっている。また、第１昇降杆４６は、固定片４０との間に掛け渡されたバネ４８により下方に付勢されていると共に、立設片４１の下端に突設されたストッパ部４９により、下方への移動が規制されるようになっている。これにより、フック部材４４と第１昇降杆４６とはリンク機構を構成し、通常は、フック部材４４及び第１昇降杆４６が所定の施錠位置に保持されており、第１昇降杆４６をバネ４８の付勢力に抗して上昇させると、傾動支点４３を支点として上下のフック部材４４の先端部が略水平姿勢から下方に傾動し、解錠状態に移行するようになっている。
【００１９】
ベース板３８の立設片４１と第１昇降杆４６の間には、ガラス扉２２を施錠又は解錠するための第２昇降杆５０が挟装されており、第２昇降杆５０は、第１昇降杆４６に形成された第１案内長孔５１と第２昇降杆５０に形成された第２案内長孔５２とを貫通して立設片４１に固着されたリベット状の案内ピン５３により、昇降可能に保持されている。また、第２昇降杆５０には、内側方に折曲された操作片５４が形成されており、操作片５４は立設片４１に形成された長孔（図示せず）を貫通している。さらに、第２昇降杆５０は、固定片４０との間に掛け渡されたバネ５５により上方に付勢されていると共に、前記長孔の上端面と操作片５４の上端部とが当接することにより施錠位置に保持されるようになっている。
【００２０】
ベース板３８の固定片４０の中央部分には、前枠１３の前面側に鍵穴５６が露出するように錠５７が取り付けられており、錠５７の回動軸５８の後端には解錠盤５９が固定されている。解錠盤５９には、それぞれ第１突出端部６０及び第２突出端部６１が内側方に突出して形成されており、第１突出端部６０は前枠１３を解錠させるために機能し、第２突出端部６１はガラス扉２２を解錠させるために機能するようになっている。そして、解錠盤５９は、解錠操作時以外には中立角度位置に保持され、鍵を鍵穴５６に挿入すると、回動軸５８が回動可能な状態になり、鍵を左右２方向に回転操作可能となっている。一方、第１昇降杆４６の第１突出端部６０及び第２突出端部６１に対応する位置には第１係合孔６２が形成されており、第１係合孔６２の開口端面６３に第１突出端部６０の先端が係合可能となっている。また、第２昇降杆５０の第２突出端部６１に対応する位置には第２係合孔６４が形成されており、第２係合孔６４の開口端面６５に第２突出端部６１の先端が係合可能となっている。
【００２１】
したがって、前枠１３の前面側から鍵穴５６に鍵を挿入し、右方向に回転させると、解錠盤５９は同方向（図２では左方向）に回転し、第１突出端部６０の先端が第１係合孔６２の開口端面６３に係合し、第１昇降杆４６はバネ４８の付勢力に抗して上昇すると共に上下のフック部材４４が傾動し、前枠１３が施錠状態から解錠状態に移行するようになっている。一方、前枠１３の前面側から鍵穴５６に挿入した鍵を左方向に回転させると、解錠盤５９は同方向（図２では右方向）に回転し、第２突出端部６１の先端が第２係合孔６４の開口端面６５に係合し、第２昇降杆５０はバネ５５の付勢力に抗して下降すると共に操作片５４が下降し、ガラス扉２２が施錠状態から解錠状態に移行するようになっている。
【００２２】
次に、図４〜図１１を参照しつつ、本発明の第１の実施の形態に係る遊技機の揺動防止機構について説明する。なお、該実施の形態に係る揺動防止機構は上下２箇所に設けられているが、上下共に同様の構成を有しているので、以下の説明では、説明の簡略化のため、上側の揺動防止機構を主体に説明する。
【００２３】
ここで、図４は該実施の形態に係る遊技機の揺動防止機構を示す分解斜視図、図５は施錠装置を示す斜視図、図６は揺動防止機構を分解して示す側面図、図７（ａ）〜（ｃ）は揺動防止機構における前後揺動抑止機構の作用を示す側断面図、図８（ａ）は揺動防止機構の操作前の状態を示す背面図、図８（ｂ）はその操作後の状態を示す背面図、図９（ａ）は揺動防止機構の操作前の状態を示す側面図、図９（ｂ）はその操作後の状態を示す側面図、図１０は揺動防止機構を示す平面図、図１１は揺動防止機構の要部を示す平面図である。
【００２４】
上記した施錠金具３５において、フック部材４４では、先端部分７１が内側にクランク状に折曲して形成されており、その先端部分７１の上端部には三角形状の受け部係合部７２が形成されている。受け部係合部７２の基端面７３は鉛直面に対して先端側に傾斜角度α、傾斜して形成されており、この傾斜角度αは、傾動支点４３を中心として基端面７３の最下点を通過するように描いた半径ｒの円弧より基端面７３が外側に位置するように設定されている（図６参照）。そして、フック部材４４の先端部分７１の外側面には、先端曲面状の左右方向移動規制ピン７４が垂直に突設され、左右方向移動規制ピン７４は先端部分７１の内側面側から螺入されたネジ７５により先端部分７１に固定されるようになっている。また、立設片４１の支持片部４２の下端部には、フック部材４４の基端部分７６を挟み込むように折曲された挟持片部７７が形成されており、挟持片部７７によりフック部材４４の左右方向の変位を抑止可能となっている。なお、右側枠杆３６の内面前側角部
には、ネジ逃げ用の座グリ部６６が切欠されており、ベース板３８固定用のネジが右側枠杆３６に干渉しないようになっている。この場合、ネジに皿ネジを使用すれば、座グリ部６６を設ける必要はない。
【００２５】
一方、上記した施錠受け金具３７には、ベース部材７８が設けられている。ベース部材７８は、右側枠杆３６の内面に形成された欠込み部７９に対してネジ止めすることにより右側枠杆３６に固定される固定部８０と、固定部８０の前端において内方に垂直に折曲され、フック部材４４の受け部係合部７２が係合可能なように鉛直姿勢を成す施錠受け部８１と、施錠受け部８１の先端においてさらに後方に垂直に折曲された鉛直姿勢の左右方向移動規制部８２と、固定部８０の上端において内方に垂直に折曲された水平姿勢の昇降ピン保持部８３とから構成されており、左右方向移動規制部８２の下端部外側面には、フック部材４４の受け部係合部７２を施錠受け部８１に誘い込み易くするために、傾斜面８４が形成されている。
【００２６】
昇降ピン保持部８３には、中央部にネジ孔８５が螺刻されており、そのネジ孔８５に対応した位置に六角ナット８６が固着され、ネジ孔８５及び六角ナット８６には、昇降ピン保持部８３に対して昇降可能なように昇降ピン８７が螺挿されている。昇降ピン８７は六角ボルト状を成し、この昇降ピン８７には、ネジ孔８５及び六角ナット８６に螺合可能な大径ネジ部８８と、大径ネジ部８８の下端において大径ネジ部８８と同心に形成された小径部８９とが設けられている。
【００２７】
また、固定部８０の下端前側には左右方向移動規制ピン７４が当接可能なように受け座９０が内方に突出してネジ止めされており、受け座９０の下端部には、左右方向移動規制ピン７４を受け座９０に誘導し易くするために、案内部９１が傾斜して形成されている。このように、受け座９０を内方に突設させることにより、左右方向移動規制ピン７４の外方への突出長の短縮化が図れるので、前枠１３の開閉操作時に左右方向移動規制ピン７４が右側枠杆３６に干渉するのを防止するために右側枠杆３６の内面前側部分を欠き込む等の加工を行う必要がなくなり、外枠１２の加工作業を省力化することができると共に、外枠１２の強度を保持することができる。
【００２８】
ベース部材７８の施錠受け部８１と左右方向移動規制部８２と昇降ピン保持部８３とにより囲まれた空間９２には、昇降部材９３が設けられている。昇降部材９３は、ＡＢＳ樹脂やポリカーボネート等の硬質樹脂製であり、固定部８０の内面に沿って摺動可能に設けられたガイド部９４と、施錠受け部８１の後面に沿って摺動可能に設けられた間隙填塞部９５と、昇降ピン保持部８３に対して近接離反可能に設けられた水平姿勢の昇降ピン係合部９６とから構成されている。そして、間隙填塞部９５の後面には傾斜面９７が形成されており、鉛直面に対するこの傾斜面９７の傾斜角度βは受け部係合部７２の基端面７３の傾斜角度α以下に設定されている（図６参照）。また、昇降ピン係合部９６の中央部には係合孔部９８が下方に突出して形成されており、係合孔部９８には、昇降ピン８７に対して昇降不能なように昇降ピン８７の小径部８９が係合している。さらに、小径部８９には、上端部に座金９９が嵌設されていると共に下端部にスナップリング７０が嵌設されており、座金９９とスナップリング７０とにより挟持され、昇降ピン８７が昇降部材９３に保持されるようになっている。
【００２９】
このように、昇降部材９３は、昇降ピン８７の回転に伴い、昇降ピン８７と一体に昇降し、間隙填塞部９５の下端がフック部材４４の基端面７３と施錠受け部８１の後面との間の前後方向の間隙１００に対して進退可能となっており、その間隙１００に間隙填塞部９５が進入すると、フック部材４４の前後方向の移動が規制され、外枠１２に対する前枠１３の前後方向の揺動が抑止可能となるように構成されている。すなわち、ベース部材７８の昇降ピン保持部８３と、昇降ピン８７と、昇降部材９３の間隙填塞部９５とを主体として、前後揺動抑止機構が構成されている。
【００３０】
また、フック部材４４の受け部係合部７２が施錠受け部８１に係合し、左右方向移動規制ピン７４の先端が受け座９０に当接すると共にフック部材４４の先端部分７１の内面側が左右方向移動規制部８２に当接すると、フック部材４４の左右方向の揺動が規制され、外枠１２に対する前枠１３の左右方向の揺動が抑止可能となるように構成されている。すなわち、左右方向移動規制部８２と、左右方向移動規制ピン７４と、受け座９０とを主体として、左右揺動抑止機構が構成されている。
【００３１】
次に、本発明の第１の実施の形態に係る遊技機の揺動防止機構の作用について説明する。なお、該実施の形態に係る揺動防止機構は上下２箇所に設けられているが、上下共に同様の構成を有しているので、以下の説明では、説明の簡略化のため、上側の揺動防止機構を主体に説明する。
【００３２】
前枠１３をヒンジ金具１４ａ，１４ｂを支点として回転させ、外枠１２に対して前枠１３を押し込むと、図８（ａ）及び図９（ａ）に示すように、受け部係合部７２が施錠受け部８１の下端と係合し、フック部材４４は下方に傾動する。この時、挟持片部７７によりフック部材４４の左右方向の変位が防止されているため、フック部材４４の傾動動作は円滑且つ確実に行われる。
【００３３】
そして、前枠１３をさらに閉鎖位置まで押し込むと、受け部係合部７２の頂部が施錠受け部８１を潜り越え、受け部係合部７２は施錠受け部８１に掛止する。受け部係合部７２の基端面７３の傾斜角度αが傾動支点４３を中心として基端面７３の最下点を通過するように描いた半径ｒの円弧より基端面７３が外側に位置するように設定されており、また、左右方向移動規制部８２の下端部外面に傾斜面８４が形成されているため、上記した施錠受け部８１に対する受け部係合部７２の掛止動作は円滑且つ確実に行われる。また、この時、左右方向移動規制ピン７４の先端は案内部９１により案内され、受け座９０に当接すると共に、フック部材４４の先端部分７１の内側面が左右方向移動規制部８２に当接するため、フック部材４４の左右方向の揺動が規制され、外枠１２に対する前枠１３の左右方向の揺動が抑止される（図１１参照）。
【００３４】
次に、このように受け部係合部７２が施錠受け部８１に掛止した状態において、昇降ピン８７を回転させる。そうすると、昇降ピン保持部８３に対して昇降ピン８７が降下し、この昇降ピン８７の降下と共に昇降部材９３も降下する。そして、図８（ｂ）及び図９（ｂ）に示すように、フック部材４４の基端面７３と施錠受け部８１の後面との間の前後方向の間隙１００に間隙填塞部９５が進入する。
【００３５】
より具体的には、例えば、図７（ａ）に示すように、フック部材４４の基端面７３と施錠受け部８１の後面との間に前後方向の間隙１００がまったく生じない理想的な場合には、間隙填塞部９５の下端はフック部材４４の受け部係合部７２の近傍位置或いはその受け部係合部７２に当接する位置において、昇降部材９３の降下は停止される。一方、図７（ｂ）に示すように、その間隙１００が広い場合（ｓ１の場合）には、間隙填塞部９５の下端はその間隙１００に深く進入し、また、図７（ｃ）に示すように、その間隙１００が狭い場合（ｓ２の場合）には、間隙填塞部９５の下端はその間隙１００に浅く進入する。そして、両方いずれの場合にも、間隙１００は、間隙填塞部９５によって填塞され、これにより、フック部材４４の前後方向の移動が規制され、外枠１２に対する前枠１３の前後方向の揺動が抑止される。
【００３６】
上記したように、間隙填塞部９５の傾斜面９７の傾斜角度βが受け部係合部７２の基端面７３の傾斜角度α以下に設定されており、また、昇降部材９３には固定部８０の内面に沿って摺動可能なガイド部９４が形成されており、さらに、間隙填塞部９５も施錠受け部８１の後面に沿って摺動可能に形成されているため、上記した間隙１００に対する間隙填塞部９５の進入動作は円滑且つ確実に行われる。
【００３７】
このように、上記第１の実施の形態によれば、パチンコ遊技機１１の出荷時に製造ライン上において、外枠１２に前枠１３をセットした状態で前記揺動防止機構の操作及び調整を背面側から目視しながら行うことができるため、微調整も容易且つ確実に行うことができ、前枠１３の揺動防止をより確実且つより好適に行うことができる。
【００３８】
次に、図１２〜図２２を参照しつつ、本発明の第２の実施の形態に係る遊技機の揺動防止機構について説明する。なお、以下の本実施の形態の説明において、上記した第１の実施の形態の場合と同様の構成については、説明の簡略化のため、図１２〜図２２中、図１〜図１１と同一の符号を付し、詳細な説明を省略する。また、本実施の形態に係る揺動防止機構は上下２箇所に設けられており、上下共に同様の構成を有しているが、その揺動防止機構に関連する施錠装置１５の構成が上下で多少異なるので、以下の説明では、上側の揺動防止機構について説明した後、下側の揺動防止機構に関連する施錠装置１５について上側と異なる構成を中心に説明する。
【００３９】
ここで、図１２は本発明の第２の実施の形態に係る遊技機の揺動防止機構を示す分解斜視図、図１３は施錠装置を示す斜視図、図１４は揺動防止機構を分解して示す側面図、図１５（ａ）〜（ｃ）は揺動防止機構における前後揺動抑止機構の作用を示す側断面図、図１６（ａ）は揺動防止機構の操作前の状態を示す背面図、図１６（ｂ）はその操作後の状態を示す背面図、図１７（ａ）は揺動防止機構の操作前の状態を示す側面図、図１７（ｂ）はその操作後の状態を示す側面図、図１８は揺動防止機構を示す平面図、図１９は揺動防止機構の要部を示す平面図、図２０は揺動防止機構を示す平面図、図２１は揺動防止機構を下側に設置した場合を示す平面図である。
【００４０】
施錠受け金具３７のベース部材７８は、固定部８０と、施錠受け部８１と、左右方向移動規制部８２と、昇降ピン保持部８３とから構成されており、固定部８０の下端前側には左右方向移動規制ピン７４が当接可能なように受け座９０が突設されている。また、昇降ピン保持部８３には、中央部に挿通孔１１１が穿設されており、その挿通孔１１１には、昇降ピン保持部８３に対して昇降可能なように昇降ピン１１２が挿通されている。昇降ピン１１２は、円盤状の頭部１１３と、頭部１１３の下端に円柱状に形成された挿通部１１４と、挿通部１１４の下端において挿通部１１４より小径に形成されたネジ部１１５とから構成され、挿通部１１４に周設されたコイルバネ１１６により上方に付勢されている。
【００４１】
ベース部材７８の施錠受け部８１と左右方向移動規制部８２と昇降ピン保持部８３とにより囲まれた空間９２には昇降部材９３が設けられており、昇降部材９３は、ガイド部９４と、間隙填塞部９５と、昇降ピン係合部９６とから構成されている。そして、昇降ピン係合部９６の中央部には螺合部１３０が下方に突出して形成されており、螺合部１３０には、昇降ピン１１２のネジ部１１５が螺合し、ネジ部１１５の上端部には座金９９が嵌設されている。
【００４２】
右側枠杆３６の内面には、ベース部材７８の上方にロッド支持金具１１７が設けられており、ロッド支持金具１１７は、右側枠杆３６の内面にネジ止めされる固定板部１１８と、固定板部１１８の両側から対向するように内方に折曲形成された一対のロッド挿通部１１９とから構成されている。ロッド挿通部１１９には、連結ロッド１２０が水平姿勢で回転可能に挿通し、連結ロッド１２０には、前端部に六角レンチ等の操作具１２１が係合可能な係合部１２２が形成されていると共に後端部に変位カム１２３が嵌着されている。変位カム１２３は背面視で卵型を成しており、尖端部１２４を内方に向けた状態において、上昇時の昇降ピン１１２の頭部１１３に周壁部１２５が当接し、尖端部１２４を下方に向けると、昇降ピン１１２に対して降下方向に力が作用する作用部として機能するようになっている。
【００４３】
したがって、変位カム１２３から前方に延出した連結ロッド１２０の係合部１２２に操作具１２１を係合し、回転させると、変位カム１２３が回転するように構成されており、連結ロッド１２０を主体として、作用部操作機構が構成されている。
【００４４】
また、昇降部材９３は、変位カム１２３の回転に伴い、昇降ピン１１２と一体に昇降し、間隙填塞部９５の下端がフック部材４４の基端面７３と施錠受け部８１の後面との間の前後方向の間隙１００に対して進退可能となっており、その間隙１００に間隙填塞部９５が進入すると、フック部材４４の前後方向の移動が規制され、外枠１２に対する前枠１３の前後方向の揺動が抑止可能となるように構成されている。すなわち、昇降ピン１１２と変位カム１２３とを主体に昇降操作部材が構成され、さらに、該昇降操作部材と、ベース部材７８の昇降ピン保持部８３と、昇降部材９３の間隙填塞部９５とを主体として、前後揺動抑止機構が構成されている。
【００４５】
さらに、フック部材４４の受け部係合部７２が施錠受け部８１に係合し、左右方向移動規制ピン７４の先端が受け座９０に当接すると共にフック部材４４の先端部分７１の内面側が左右方向移動規制部８２に当接すると、フック部材４４の左右方向の揺動が規制され、外枠１２に対する前枠１３の左右方向の揺動が抑止可能となるように構成されている。すなわち、左右方向移動規制部８２と、左右方向移動規制ピン７４と、受け座９０とを主体として、左右揺動抑止機構が構成されている。
【００４６】
次に、図２１により、下側の揺動防止機構に関連する施錠装置１５について上側と異なる構成を中心に説明する。
【００４７】
施錠金具３５において、ベース板３８の固定片４０には操作具１２１が挿通可能な操作孔１２６が穿設されている。また、第１昇降杆４６において、操作孔１２６の近接部分１２７は、ベース板３８の立設片４１側に屈曲しており、操作孔１２６を挿通する操作具１２１と干渉しないようになっている。そして、このように施錠金具３５の下側部分を形成させることにより、下側の揺動防止機構についても、操作孔１２６を介して操作具１２１を連結ロッド１２０の係合部１２２に係合させることができるため、変位カム１２３を前枠１３の前面側から操作することが可能となる。
【００４８】
次に、本発明の第２の実施の形態に係る遊技機の揺動防止機構の作用について説明する。なお、説明の簡略化のため、以下の説明においては、上側の揺動防止機構を主体に説明すると共に、上記した第１の実施の形態と同様の構成の作用及び効果については、詳細な説明を省略する。
【００４９】
外枠１２に対して前枠１３を押し込むと、図１６（ａ）及び図１７（ａ）に示すように、受け部係合部７２が施錠受け部８１の下端と係合し、フック部材４４は下方に傾動する。そして、前枠１３をさらに閉鎖位置まで押し込むと、受け部係合部７２の頂部が施錠受け部８１を潜り越え、受け部係合部７２は施錠受け部８１に掛止する。また、この時、左右方向移動規制ピン７４の先端は案内部９１により案内され、受け座９０に当接すると共に、フック部材４４の先端部分７１の内面側が左右方向移動規制部８２に当接するため、フック部材４４の左右方向の揺動が規制され、外枠１２に対する前枠１３の左右方向の揺動が抑止される。
【００５０】
次に、このように受け部係合部７２が施錠受け部８１に掛止した状態において、前枠１３の前面側から操作具１２１を連結ロッド１２０の係合部１２２に係合し、その操作具１２１を前面から見て左方向に回転させる。そうすると、変位カム１２３が同方向に回転し、図１６（ｂ）及び図１７（ｂ）に示すように、昇降ピン１１２はコイルバネ１１６の付勢力に抗して降下し、この昇降ピン１１２の降下と共に昇降部材９３も降下する。そして、フック部材４４の基端面７３と施錠受け部８１の後面との間の前後方向の間隙１００に間隙填塞部９５が進入する。
【００５１】
より具体的には、例えば、図１５（ａ）に示すように、フック部材４４の基端面７３と施錠受け部８１の後面との間に前後方向の間隙１００がまったく生じない理想的な場合には、間隙填塞部９５の下端はフック部材４４の受け部係合部７２の近傍位置或いはその受け部係合部７２に当接する位置において、昇降部材９３の降下は停止される。一方、図１５（ｂ）に示すように、その間隙１００が広い場合（ｕ１の場合）には、間隙填塞部９５の下端はその間隙１００に深く進入し、また、図１５（ｃ）に示すように、その間隙１００が狭い場合（ｕ２の場合）には、間隙填塞部９５の下端はその間隙１００に浅く進入する。そして、両方いずれの場合にも、間隙１００は、間隙填塞部９５によって填塞され、これにより、フック部材４４の前後方向の移動が規制され、外枠１２に対する前枠１３の前後方向の揺動が抑止される。
【００５２】
この場合、間隙填塞部９５の傾斜面９７の傾斜角度βが受け部係合部７２の基端面７３の傾斜角度α以下に設定されており（図１４参照）、また、昇降部材９３には固定部８０の内面に沿って摺動可能なガイド部９４が形成されており、さらに、間隙填塞部９５も施錠受け部８１の後面に沿って摺動可能に形成されているため、上記した間隙１００に対する間隙填塞部９５の進入動作は円滑且つ確実に行われる。
【００５３】
なお、上記した第２の実施の形態では、上下の揺動防止機構共に、前枠１３の前面側から操作可能なように構成されているが、例えば、上記した第１の実施の形態に係る揺動防止機構、或いは、図２２に示す変更例のように、いずれか一方の揺動防止機構を前枠１３の背面側から操作するように構成してもよい。図２２に示す変更例では、右側枠杆３６の内面に変位カム支持部材１２８が固定されており、この変位カム支持部材１２８に変位カム１２９が枢設されている。そして、上下の揺動防止機構を操作する場合、先ず、前枠１３の背面側から、この変位カム１２９を直接操作し、前後及び左右方向の揺動を抑止した後、これを基準として、前枠１３の前面側から操作具１２１を使用して他方の変位カム１２３を操作する。このように、この場合、パチンコ遊技機１１の出荷時に製造ライン上において、外枠１２に前枠１３をセットした状態で前記揺動防止機構の操作及び調整を背面側から目視しながら行った後に、その揺動防止機構を基準として、他の揺動防止機構を前枠１３の前面側から操作及び調整を行うことができ、また、パチンコ遊技機１１を出荷後、遊技島に取り付ける迄の過程において、前後方向に間隙１００ができたとしても、前記他の揺動防止機構を前枠１３の前面側から操作及び調整を行うことができる。したがって、揺動防止機構の操作、調整及び微調整を容易且つ確実に行うことができ、前枠１３の揺動防止をより確実且つより好適に行うことができる。
【００５４】
また、上記第２の実施の形態においては、作用部である変位カム１２３，１２９を介して昇降ピン８７に対して降下方向にのみ力を作用させ、上昇方向にはコイルバネ１１６の付勢力により移動させるように構成しているが、例えば、変位カム１２３，１２９の代わりにピニオンを使用し、昇降ピン８７の代わりにラックを使用して、昇降いずれの方向にも、操作具１２１によって前枠１３の前面側から操作可能なように構成してもよい。
【００５５】
なお、上記第１及び第２の実施の形態において、左右揺動抑止機構として、フック部材４４側に側方当接部である左右方向移動規制ピン７４を設け、施錠受け金具３７側に被側方当接部である受け座９０を設けているが、反対に、フック部材４４側に被側方当接部を設け、施錠受け金具３７側に側方当接部を設けてもよい。
【００５６】
また、上記第１及び第２の実施の形態では、本発明をパチンコ遊技機１１に適用した場合について説明したが、これは単なる例示に過ぎず、本発明は、スロットマシン等、パチンコ遊技機１１以外の他の遊技機にも適用可能であることは言う迄もない。
【図面の簡単な説明】
【００５７】
【図１】本発明の実施の形態におけるパチンコ遊技機を示す正面図、及びその施錠装置を拡大して示す正面図である。
【図２】本発明の実施の形態におけるパチンコ遊技機を開放した状態を示す背面図、及びその施錠装置を拡大して示す背面図である。
【図３】本発明の実施の形態におけるパチンコ遊技機を示す側面図、及びその施錠装置を拡大して示す側面図である。
【図４】本発明の第１の実施の形態に係る遊技機の揺動防止機構を示す分解斜視図である。
【図５】本発明の第１の実施の形態における施錠装置を示す斜視図である。
【図６】本発明の第１の実施の形態に係る遊技機の揺動防止機構を分解して示す側面図である。
【図７】（ａ）〜（ｃ）は、本発明の第１の実施の形態に係る遊技機の揺動防止機構における前後揺動抑止機構の作用を示す側断面図である。
【図８】（ａ）は本発明の第１の実施の形態に係る遊技機の揺動防止機構の操作前の状態を示す背面図であり、（ｂ）はその操作後の状態を示す背面図である。
【図９】（ａ）は本発明の第１の実施の形態に係る遊技機の揺動防止機構の操作前の状態を示す側面図であり、（ｂ）はその操作後の状態を示す側面図である。
【図１０】本発明の第１の実施の形態に係る遊技機の揺動防止機構を示す平面図である。
【図１１】本発明の第１の実施の形態に係る遊技機の揺動防止機構の要部を示す平面図である。
【図１２】本発明の第２の実施の形態に係る遊技機の揺動防止機構を示す分解斜視図である。
【図１３】本発明の第２の実施の形態における施錠装置を示す斜視図である。
【図１４】本発明の第２の実施の形態に係る遊技機の揺動防止機構を分解して示す側面図である。
【図１５】（ａ）〜（ｃ）は、本発明の第２の実施の形態に係る遊技機の揺動防止機構における前後揺動抑止機構の作用を示す側断面図である。
【図１６】（ａ）は本発明の第２の実施の形態に係る遊技機の揺動防止機構の操作前の状態を示す背面図であり、（ｂ）はその操作後の状態を示す背面図である。
【図１７】（ａ）は本発明の第２の実施の形態に係る遊技機の揺動防止機構の操作前の状態を示す側面図であり、（ｂ）はその操作後の状態を示す側面図である。
【図１８】本発明の第２の実施の形態に係る遊技機の揺動防止機構を示す平面図である。
【図１９】本発明の第２の実施の形態に係る遊技機の揺動防止機構の要部を示す平面図である。
【図２０】本発明の第２の実施の形態に係る遊技機の揺動防止機構を示す平面図である。
【図２１】本発明の第２の実施の形態に係る遊技機の揺動防止機構を下側に設置した状態を示す平面図である。
【図２２】本発明の第２の実施の形態に係る遊技機の揺動防止機構の変更例を示す斜視図である。
【図２３】（ａ）及び（ｂ）は従来例の要部を示す背面図である。
【図２４】（ａ）及び（ｂ）は別の従来例の要部を示す背面図である。
【符号の説明】
【００５８】
１１          パチンコ遊技機
１２          外枠
１３          前枠
３５          施錠金具
３７          施錠受け金具
４４          フック部材
７４          左右方向移動規制ピン
７８          ベース部材
８１          施錠受け金具
８２          左右方向移動規制部
８３          昇降ピン保持部
８７          昇降ピン
９０          受け座
９５          間隙填塞部
１００        間隙
１１２        昇降ピン
１２０        連結ロッド
１２１        操作具
１２２        係合部
１２３        変位カム
１２９        変位カム
【図１】
0004651079.tif 000002
【図２】
0004651079.tif 000003
【図３】
0004651079.tif 000004
【図４】
0004651079.tif 000005
【図５】
0004651079.tif 000006
【図６】
0004651079.tif 000007
【図７】
0004651079.tif 000008
【図８】
0004651079.tif 000009
【図９】
0004651079.tif 000010
【図１０】
0004651079.tif 000011
【図１１】
0004651079.tif 000012
【図１２】
0004651079.tif 000013
【図１３】
0004651079.tif 000014
【図１４】
0004651079.tif 000015
【図１５】
0004651079.tif 000016
【図１６】
0004651079.tif 000017
【図１７】
0004651079.tif 000018
【図１８】
0004651079.tif 000019
【図１９】
0004651079.tif 000020
【図２０】
0004651079.tif 000021
【図２１】
0004651079.tif 000022
【図２２】
0004651079.tif 000023
【図２３】
0004651079.tif 000024
【図２４】
0004651079.tif 000025